(57)【特許請求の範囲】
【請求項１】
横材と、柱と、上部取付金具と、ベースプレートと、スペーサとを備え、横材は、下面に開口する溝と、溝の開口部に着脱自在な目板を有し、柱は、横材の下に配置してあり且つ内部に中空部を有し、柱を柱の上端と横材の溝の開口部とを略同一面に配置した状態で、柱の上端と横材の溝底との間に上部取付金具の一端部を柱の中空部内へ配置可能な空間を形成しており、上部取付金具は一端部を柱の上部の中空部内で柱の見込み面に固定し且つ他端部を柱の見込み面から横材の長手方向に突出した状態に配置して横材の溝内に固定して横材と柱とを連結しており、ベースプレートは柱の下端に取付けてあり、スペーサはベースプレートと地面との間に配置してあり、横材の溝の開口部を目板で覆っていることを特徴とする建築構造体。
【発明の詳細な説明】
【技術分野】
【０００１】
本発明は、ファサードゲートやスクリーン等の建築構造体に関する。
【背景技術】
【０００２】
特許文献１には、左右の柱間に架設した梁や桁等の横材の下に更に第３の柱を設けて、横材と第３の柱を連結した建築構造体が開示されている。この特許文献１の技術では、第３の柱は建築構造の施工時に横材や他の柱と一緒に施工している。
この特許文献１には、既設の横材の下に、後から柱を追加する場合について記載がないが、従来、横材の下に柱を追加する場合、横材を一度外すか、地面を掘ったり削ったりする地面の工事していた。
【先行技術文献】
【特許文献】
【０００３】
【特許文献１】特開２０００−１４５２１０号公報
【発明の概要】
【発明が解決しようとする課題】
【０００４】
しかし、横材の下に柱を追加する場合、横材を外したり、地面の工事をしていたのでは、施工に手間がかかるという問題があった。
【０００５】
そこで、本発明は、梁や桁等の横材の下に柱を追加する場合に、横材を外したり地面の工事をすることなく施工できる建築構造体の提供を目的とする。
【課題を解決するための手段】
【０００６】
請求項１に記載の発明は、横材と、柱と、上部取付金具と、ベースプレートと、スペーサとを備え、横材は、下面に開口する溝と、溝の開口部に着脱自在な目板を有し、柱は、横材の下に配置してあり且つ内部に中空部を有し、柱を柱の上端と横材の溝の開口部とを略同一面に配置した状態で、柱の上端と横材の溝底との間に上部取付金具の一端部を柱の中空部内へ配置可能な空間を形成しており、上部取付金具は一端部を柱の上部の中空部内で柱の見込み面に固定し且つ他端部を柱の見込み面から横材の長手方向に突出した状態に配置して横材の溝内に固定して横材と柱とを連結しており、ベースプレートは柱の下端に取付けてあり、スペーサはベースプレートと地面との間に配置してあり、横材の溝の開口部を目板で覆っていることを特徴とする建築構造体である。
【発明の効果】
【０００７】
本発明によれば、柱の下端に取付けたベースプレートと地面との間にはスペーサを設けて柱の高さ調整しているので、横材の下に柱を追加する場合に、横材を外したり地面の工事をすることなく施工ができる。
横材の下面には溝が設けてあり、上部取付金具の一端部を柱の中空内に配置して柱に固定し他端部を横材の溝底に固定すると共に、横材の溝の開口部は目板で覆っているので、上部取付金具が外部に露出しないから、外観が良い。
【図面の簡単な説明】
【０００８】
【図１】本発明の第１実施の形態にかかる建築構造体であって、図６に示すＡ−Ａ断面図である。
【図２】（ａ）は図６に示すＢ−Ｂ断面図であり、（ｂ）は（ａ）に示すＣ−Ｃ断面図である。
【図３】図１に示すＥ−Ｅ断面図である。
【図４】図６に示すＦ−Ｆ断面図である。
【図５】図６に示すＨ−Ｈ断面図である。
【図６】ファサードゲートに門柱及びスクリーンを後付した状態を道路側から見た正面図である。
【図７】門柱及びスクリーンを後付けする前のファサードゲートを道路側から見た正面図である。
【図８】第１実施の形態の変形例における横材と柱との連結部分であって横材の長手方向に沿って切断した縦断面図である。
【図９】第１実施の形態の変形例における横材と柱との連結部分であって横材の長手方向と直交する位置で切断した縦断面図である。
【発明を実施するための形態】
【０００９】
以下に、添付図面を参照して本発明の実施の形態を詳細に説明する。本発明の実施の形態に係る建築構造体１は、図７に示す既設のファサードゲード３に、図６に示すように門５及びスクリーン７を後付けにより新設したものである。
図７に示す既設のファサードゲート３は、左右の既設支柱９ａ、９ｂ間に横材１１が架設してあり、既設柱９ａ、９ｂ間には機能門柱１３が設けてあり、機能門柱１３と左（図７の左）の既設柱９ａとの間には複数の格子１５を取付けた既設スクリーン１７が設けてある。機能門柱１３には、照明具１９、ネームプレート２１及びインターホン２３が取付けてある。
図６示すように、新設した門５は、柱２５と、一方の扉２７と、他方の扉２８を備えており、柱２５は横材１１の下に配置して地面Ｇと横材１１との間に設けてある。図４に示すように、一方の扉２７はヒンジ２９により柱２５に取付けてあり、他方の扉２８はヒンジ２９により既設の機能門柱１３に取付けてある。また、柱２５と機能門柱１３には、各々扉２７、２８の受け３０が取付けてある。
【００１０】
図１に示すように、横材１１と柱２５の上部との間には上部取付金具３１が設けてあり、柱２５の下部にはベースプレート３３と、スペーサ３５とが設けてある。
横材１１は、下面に開口する溝３７と、溝３７の開口部３７ａに着脱自在な目板３９とを有している。溝３７内には、溝底３７ｂと平行に設けた２つの突設部４１ａ、４１ｂが設けてあり、２つの突設部４１ａ、４１ｂは互いに対向して且つ間隔Ｓをあけている。
図２に示すように、柱２５は、内部に中空４３が形成してあり、対向する見込み面２５ａ、２５ａには溝４５が形成してあり、溝４５、４５は各々目板４６で塞いである。また、柱２５には道路側見付け面２５ｂにも溝４７が形成してあり、溝４７は目板４８で塞いである。
【００１１】
図１及び図２に示すように、ベースプレート３３は柱２５の下端部に設けてあり、上面には芯材５１が溶接により固定してあり、芯材５１には柱２５の対向する見込み面に設けた溝４５、４５の各溝底４５ａと、道路側見付け面に設けた溝４７の溝底４７ａに取付けたねじ５２で柱２５が固定されている。ベースプレート３３はアンカー５３により地面Ｇに固定されている。
スペーサ３５はベースプレート３３と地面Ｇとの間に配置してあり、必要に応じて重ねて用いて、柱２５の高さ調整をしている。スペーサ３５は馬蹄形を成しており馬蹄形の内側にアンカー５３を配置している。
ベースプレート３３の周囲は、カバー５４で覆ってあり、カバー５４は柱２５にねじ５４ａで固定されている。
【００１２】
図１及び図３に示すように、上部取付金具３１は、柱２５に取り付ける柱固定部（一端部）３１ａと横材１１に固定する横材固定部（他端部）３１ｂとを有し、柱固定部３１ａと横材固定部３１ｂとでＬ字形状を成している。柱固定部３１ａは柱２５の中空内に挿入して柱２５の見込み面２５ａの溝底４５ａに止めるねじ５５で柱２５に固定してある。横材固定部３１ｂは横材１１の溝３７の内部に設けた突設部４１ａ、４１ｂにねじ５６で固定してある。
【００１３】
図６に示すように、スクリーン７は、新設の柱２５と既設の右柱９ｂ間で地面Ｇの上面に配置したベース材５７と、格子材５９とを有し、図２（ｂ）及び図５に示すように、ベース材５７は地面Ｇにねじ５８で固定してある。図５に示すように、ベース材５７には、上面が開口した２つの溝５７ａ、５７ｂが見込み方向に間隔をあけて形成してあり、各溝５７ａ、５７ｂには上面に目板６１が取付けてあり、地面Ｇに固定しているねじ５８を目板６１で隠している。２つの溝５７ａ、５７ｂの間にはベース材５７の上面６０がある。
図２（ａ）に示すように、格子材５９には、内部に上下方向の溝６３が形成してあり、溝底６３ａは側壁５９ａと間隔をあけて設けてある。溝６３の開口には目板６５が取付けてある。図５に示すように、格子材５９は下格子材取付金具６７で下端部をベース材５７に取付けてあり、上格子材取付金具６９で上端を横材１１に固定してある。下格子材取付金具６７と上格子材取付金具６９は各々格子材５９の中空内に配置している。
図２及び図５に示すように、下格子取付金具６７はベース材固定部６７ａと格子材固定部６７ｂとを有し、ベース材固定部６７ａと格子材固定部６７ｂとでＬ字形状を成している。ベース材固定部６７ａはねじ７０でベース材５７の上面に固定してあり、格子材固定部６７ｂは、格子材５９の溝底６３ａにねじ７１で固定してある。
図５に示すように、上格子材取付金具６９は、横材固定部６９ａと格子材固定部６９ｂとを有し、横材固定部６９ａと格子材固定部６９ｂとでＬ字形状を成している。横材固定部６９ａはねじ７３で横材１１の目板３９を貫通して横材１１の溝底３７ｂに固定してあり、格子材固定部６９ｂは、格子材５９の溝底６３ａにねじ７４で固定してある。
【００１４】
次に、本実施の形態にかかる建築構造体１の施工及び作用効果について説明する。
まず、横材１１の目板３９を外し、柱２５の目板４６、４７も外しておく。
次に、図１及び図２に示すように、柱２５の下端部にベースプレート３３を取り付ける。ベースプレート３３の取り付けは、図２に示すように、ベースプレート３３に固定してある芯材５１に柱２５の見込み面に設けた溝４５の溝底４５ａと道路側見付面に設けた溝４７の溝底に各々ねじ５２で固定する。
尚、柱２５の上端からベースプレート３３の下面までの長さは、横材１１の溝３７の開口部３７ａから地面Ｇまでの寸法よりも僅かに短くしてある。
その後、ベースプレート３３を取付けた柱２５を横材１１の下に配置して、柱２５の上端が横材１１の溝３７の開口部３７ａと略同一面になるように、ベースプレート３３と地面Ｇとの間にスペーサ３５を挿入して高さ調整する。
高さ調整した後、ベースプレーと３３をアンカー５３で地面に固定する。
次に、柱２５の上端において、横材１１の溝３７の開口部３７ａから上部取付金具３１を溝３７内に挿入し、上部取付金具３１の柱固定部３１ａを柱２５の中空４３内に配置して、横材固定部３１ｂを溝３７内に設けた突設部４１ａ、４１ｂの下面に重ね、柱固定部３１ａを柱２５の見込み面に設けた溝４５の溝底４５ａに重ねて、横材固定部３１ｂをねじ５６で突設部４１、４１に固定し、柱固定部３１ａを溝４５の開口部から溝底４５ａに止めるねじ５５で柱２５に固定する。尚、本実施の形態では、図３に示すように、上部取付金具３１は２つあり、柱２５の対向する２つの見込み面の溝底４５ａと横材１１とに各々取り付ける。
そして、柱２５の各見込み面及び道路側見付け面の溝４５、４７に目板４６、４８を嵌めて各ねじ５２、５５を隠し、ベースプレート３３にカバー５４を被せて柱２５にねじ５４ａで止める。
また、横材１１の溝３７の開口部３７ａに取り付ける目板３９は柱２５に対応する部分を切除して、横材１１の溝３７の開口部３７ａに取り付ける。
柱２５を固定した後、図４に示すように、柱２５及び既設の機能門柱１３にヒンジ２９をボルト７５で固定すると共に受け３０を取付けて、一方及び他方の扉２７、２８を各々ヒンジ２９に取り付ける。
【００１５】
次にスクリーンを施工する。図２及び図５に示すように、ベース材５７の目板６１を外して、ベース材５７をねじ５８で地面Ｇに固定し、その後、ベース材５７の溝５７ａ、５７ｂに各々目板６１を取り付ける。
その後、格子材５９の目板６５を外して、格子材５９を横材１１の下に配置し、格子材５９の上端を横材１１の目板３９に当接し、格子材５９の溝６３の開口部から挿入した格子材下取付具６７のベース材固定部６７ａをベース材５７の上面に重ね、格子材固定部６７ｂを格子材５９の溝底６３ａに重ねて各々ねじ７０、７１で格子材５９の下端部をベース材５７に固定する。
図５に示すように、格子材５９の上端は格子材５９の溝６３の開口部から挿入した上格子材取付金具６９の横材固定部６９ａを横材１１の目板３９の下面に重ね、格子材固定部６９ｂを格子材５９の溝底６３ａに重ねて各々ねじ７３、７４で格子材５９の上端部を横材１１に固定する。尚、上格子材取付金具６９の横材固定部６９ａを止めるねじ７３は、横材１１の目板３９を貫通して溝底３７ｂに固定する。最後に、格子材５９の溝６３の開口部に目板６５を取り付ける。
【００１６】
本発明の実施の形態によれば、柱２５の下端部に取付けたベースプレート３３と地面Ｇとの間にはスペーサ３５を設けて柱２５の高さ調整しているので、横材１１の下に柱２５を追加する場合に、横材１１を外したり地面の工事をすることなく施工ができる。
特に、横材１１を外さずに横材１１の下に柱２５を追加できるから、横材１１の上に障害物がある場合にも柱２５の追加工事が容易にできる。
また、柱２５の高さをスペーサ３５で調整するので、地面Ｇと横材１１の下面との間の間隔が異なる他の種類の建築構造体１にも柱２５を兼用できる。
横材１１の下面には溝３７が設けてあり、上部取付金具３１の柱固定部３１ａを柱２５の中空４３内に配置して柱２５に固定し、横材固定部３１ｂを横材１１の溝３７内の突設部４１ａを固定すると共に、横材１１の溝３７の開口部３７ａは目板３９で覆っているので、上部取付金具３１が外部に露出しないから、外観が良い。
【００１７】
更に、第１実施の形態によれば、柱２５の見込み面２５ａ、２５ａには溝４５が形成してあり且つ道路側見付け面にも溝４７が形成してあり、溝４５は目板４６で塞ぎ、溝４７は目板４８で塞いであるから、溝底４５ａを芯材５１に固定したねじ５２、上部取付金具３１を止めるねじ５５及び目板４６、４８で隠しているので外観が良い。
上格子材取付金具６９は、横材１１の目板３９を貫通して溝底３７ｂに固定しているので、目板３９を取り付けたまま格子材５９の取付ができるから、格子材５９の取り付けが容易にできる。
下格子材取付金具６７及び上格子材取付金具６９は各々格子材の溝６３内に配置して目板６５で覆っているので、各取付金具６７及び６９が外部から見えず、外観が良い。
ベース材５７には、上面が開口した溝５７ａ、５７ｂが設けてあり、溝底をねじ５８で地面Ｇに固定してあり、ねじ５８は目板６１で隠しているので外観が良い。
【００１８】
本発明は、上述した実施の形態に限らず、本発明の要旨を逸脱しない範囲で種々変形可能である。
例えば、図８に示すように、柱２５を既設柱９ｂの横に近接して設ける場合には、上部取付金具３１は、柱２５において既設柱９ｂ側と反対側の見込み面にのみ設けて柱２５と横材１１とを固定しても良い。
また、図９に示すように、横材１１の下面に形成した溝３７内には突設部４１ａ、４１ｂを設けないで、上部取付金具３１の横材固定部３１ｂは溝底３７ｂにねじ５６で固定しても良い。
横材１１の下面に開口する溝３７において、柱２５の上端は溝３７内に多少入り込んでいても良い。即ち、本発明において、溝３７の開口部３７ａは横材１１の下端よりも多少上の位置や下の位置も含む。
ベースプレート３３は、芯材５１を介在することなく柱２５の下端に直接固定しても良い。
建築構造体１は、ファサードゲート３に限らず、テラスの梁や桁の下に柱を新設するものや、間仕切りの桁の下に柱を新設するもので良いし、同様に梁や桁等の横材を有しその下に柱を新設するものであれば、カーポート、スクリーンやシェルター等であっても良い。
建築構造体１は、門５やスクリーン７を設けることに限らず、柱２５のみを設けるものであっても良い。
【符号の説明】
【００１９】
１    建築構造体
１１  横材
２５  柱
３１  上部取付金具
３１ａ  柱固定部（一端部）
３１ｂ  横材固定部（他端部）
３３  ベースプレート
３５  スペーサ
３７  溝
３７ａ  開口部
３９  目板
４３  中空
Ｇ    地面
【図１】
0005847604.tif 000002
【図２】
0005847604.tif 000003
【図３】
0005847604.tif 000004
【図４】
0005847604.tif 000005
【図５】
0005847604.tif 000006
【図６】
0005847604.tif 000007
【図７】
0005847604.tif 000008
【図８】
0005847604.tif 000009
【図９】
0005847604.tif 000010